(57)【要約】【課題】足部の固有振動数を調節することでモータの振動の周波数と近い値となることを防ぎ、騒音を抑えることができる送風装置を提供することを目的とする。【解決手段】円筒形状の外周面を有するハブ部６の外周面から遠心方向に延びるファンブレード５と、ファンブレード５を支持し、駆動させる駆動部と、駆動部を支持し、吸気口４を有するファンフレーム２ａとを備え、ファンフレーム２ａは、吸気口４の駆動部側内周端部１４と外周端部とを接続する複数の足部９ａ〜９ｃを備え、複数の足部９ａ〜９ｃのうち３排気口に近い足部９ｂは他の足部９ａ、９ｃよりも太く形成し、ファンフレーム２ａの外周端部側に、足部９ａ〜９ｃを延長させる切り込み１０を入れたことを特徴とする。【選択図】図１
2012031829.tif 000002
【特許請求の範囲】
【請求項１】
円筒形状の外周面を有するハブ部の外周面から遠心方向に延びるファンブレードと、
前記ファンブレードを支持し、駆動させる駆動部と、
前記駆動部を支持し、吸気口及び排気口を有するファンケースとを備え、
前記ファンケースは、前記吸気口の前記駆動部側内周端部と前記内周端部と対向する外周端部とを接続する複数の足部を備え、
前記複数の足部のうち前記排気口に近い足部は他の足部よりも太く形成し、
前記ファンフレームの前記外周端部側に、前記足部を延長させる切り込みを入れたことを特徴とする送風装置。
【請求項２】
前記ファンケースに、前記送風装置と前記送風装置を搭載する筐体とを固定する固定部を備え、前記固定部は前記足部の延長線上に位置することを特徴とする請求項１に記載の送風装置。
【請求項３】
前記ファンケースに、前記送風装置と前記送風装置を搭載する筐体とを固定する固定部を備え、
前記足部の数は、前記固定部の数よりも少ないことを特徴とする請求項１に記載の送風装置。
【請求項４】
前記切り込みの端部が略円弧状であることを特徴とする請求項１に記載の送風装置。
【発明の詳細な説明】
【技術分野】
【０００１】
本発明は、例えば電子機器の筐体内部に実装されるＣＰＵなどの発熱体の冷却装置に用いられる送風装置に関するものである。
【背景技術】
【０００２】
従来の送風装置として、（特許文献１）に示すようなものがあり、ファンフレームに設けられた吸気口の径は吸気口からファンケース内に流入する空気の風量と静圧との関係によりある一定の範囲内に限られていた。すなわち、発熱部品の冷却に用いる際、発熱部品の冷却に求められる風量を確保するため、吸気口の径は大きく設けることが必要である。しかしながら、吸気口が大きすぎると静圧が低くなり、実装密度の高い機器、流露の狭い機器には搭載できない。従って、吸気口の径は風量と静圧とを両立するようなある一定の範囲内に限られていたため、ファンフレームとモータ部をつなぐ足部の直径の長さも吸気口の直径に連動して同じ径で設けられていた。
【先行技術文献】
【特許文献】
【０００３】
【特許文献１】特開２００１−０５７４９３号公報
【発明の概要】
【発明が解決しようとする課題】
【０００４】
しかしながら、ファンブレードを駆動するモータ部とファンフレームとをつなぐ足部の直径の長さが一定の範囲内で限定されると、足部の剛性が高くなってしまう。その結果、足部の固有振動数がモータ部の回転数に依存した磁極による振動の周波数と近い値となり、モータの振動がファンフレームで共振、増幅され、振動による騒音として組み込まれる機器の騒音問題を引き起こしていた。
【０００５】
そこで、本発明は上記課題に鑑みてなされたものであり、足部の固有振動数を調節することでモータの振動の周波数と近い値となることを防ぎ、騒音を抑えることができる送風装置を提供することを目的とする。
【課題を解決するための手段】
【０００６】
そこで本発明は上記課題を解決するためになされたものであり、円筒形状の外周面を有するハブ部の外周面から遠心方向に延びるファンブレードと、前記ファンブレードを支持し、駆動させる駆動部と、前記駆動部を支持し、吸気口を有するファンフレームとを備え、前記ファンフレームは、前記吸気口の前記駆動部側内周端部と前記内周端部と対向する外周端部とを接続する足部を備え、前記ファンフレームの前記外周端部側に、前記足部を延長させる切り込みを入れたことを特徴とする送風装置である。
【発明の効果】
【０００７】
以上の構成により、本発明は、吸気口を一定以上の大きさから大きくしなくても足部の剛性を低くして足部の固有振動数がモータの振動の基本周波数の整数倍の値と近くなることを防ぐことができる。その結果、モータの振動がファンフレームで共振、増幅され、振動による騒音となることを防ぐことができる。更に、吸気口から吸い込まれる空気量を自由に調整することができるので、排気口付近の空気を減少させて調整し、騒音を抑えることができる効果を有するものである。
【図面の簡単な説明】
【０００８】
【図１】実施例１における遠心ファン装置のファンフレーム側からみた斜視図
【図２】実施例１における遠心ファン装置のファンブレード側からみた斜視図
【図３】（ａ）実施例１におけるファンフレームの上面図、（ｂ）実施例１におけるファンフレームの断面図
【図４】図１の領域Ａにおける足部とファンフレームとの接続部分の拡大図
【図５】実施例１における足部の直径の大きさＷｄと足部の固有振動数との関係を示した図
【図６】実施例２における遠心ファン装置のファンフレーム側からみた斜視図
【図７】実施例２における遠心ファン装置のファンカバー側からみた斜視図
【図８】図６の遠心ファン装置の一部を変更した遠心ファン装置の上面図
【図９】図６の遠心ファン装置の一部を変更した遠心ファン装置の上面図
【図１０】図６の遠心ファン装置と切り込みのない遠心ファン装置におけるモータの回転数ごとの騒音レベルを示す図
【図１１】図６の遠心ファン装置と切り込みのない遠心ファン装置における騒音のＦＦＴ解析を示す図
【発明を実施するための形態】
【０００９】
請求項１に記載の発明は、円筒形状の外周面を有するハブ部の外周面から遠心方向に延びるファンブレードと、前記ファンブレードを支持し、駆動させる駆動部と、前記駆動部を支持し、吸気口及び排気口を有するファンケースとを備え、前記ファンケースは、前記吸気口の前記駆動部側内周端部と前記内周端部と対向する外周端部とを接続する複数の足部を備え、前記複数の足部のうち前記排気口に近い足部は他の足部よりも太く形成し、前記ファンフレームの前記外周端部側に、前記足部を延長させる切り込みを入れたことを特徴とする送風装置であって、吸気口を一定以上の大きさから大きくしなくても足部の剛性を低くして足部の固有振動数がモータの振動の基本周波数の整数倍の値と近くなることを防ぐことができる。その結果、モータの振動がファンフレームで共振、増幅され、振動による騒音となることを防ぐことができる。更に、吸気口から吸い込まれる空気量を自由に調整することができるので、排気口付近の空気を減少させて調整し、騒音を抑えることができる。
【００１０】
請求項２に記載の発明は、前記ファンケースに、前記送風装置と前記送風装置を搭載する筐体とを固定する固定部を備え、前記固定部は前記足部の延長線上に位置することを特徴とする請求項１に記載の送風装置であって、一般的に送風装置を搭載する筐体は送風装置に比較して剛性が高く、それに応じて固定部の剛性も高くなる。その結果、足部の共振点と固定部の共振点が大きくずれるため、筐体へ振動が伝わりにくくなり、騒音を抑えることができる。
【００１１】
請求項３に記載の発明は、前記ファンケースに、前記送風装置と前記送風装置を搭載する筐体とを固定する固定部を備え、前記足部の数は、前記固定部の数よりも少ないことを特徴とする請求項１に記載の送風装置であって、送風装置に比較して剛性が高い筐体に送風装置をしっかりと固定することができる。従って、足部の共振点と固定部の共振点が大きくずれるため、筐体へ振動が伝わりにくくなり、騒音を抑えることができる。更に、筐体との接続する面積が大きいほど足部の共振点と固定部の共振点が大きくずれるため、筐体へ振動が伝わりにくくなり、騒音を抑えることができる。
【００１２】
請求項４に記載の発明は、前記切り込みの端部が略円弧状であることを特徴とする請求項１に記載の送風装置であって、渦の発生を抑制し、流れをスムーズにすることができるので騒音を抑えることができる。
【００１３】
以下、本発明の実施例について図面を参照して説明する。
（実施例１）
本実施例では、本発明の送風装置を発熱備品の冷却に使用する場合について説明する。
【００１４】
図１は、実施例１における遠心ファン装置のファンフレーム側からみた斜視図である。遠心ファン装置１のファンケース２は、下部に位置するファンフレーム２ａとその上部に位置する図示しないファンカバーにより構成されている。ここで、ファンフレーム２ａは、樹脂成型やアルミニウム合金のダイカスト成型などにより底面と側面が一体的に形成される。その一方の側面に吸気した空気を排気する排気口３が配設されており、その底面には吸気口４が配設されている。また、ファンカバーは、アルミニウムやステンレス鋼などの金属材料の打ち抜き成型や樹脂成型によりプレート状に成型されており、その中央部に空気を吸気する略円形状の吸気口４が配設されている。
【００１５】
そして、そのファンフレーム２ａとファンカバーとに挟まれて収容されるようにファンブレード５が配置される。
【００１６】
図２は、実施例２における遠心ファン装置のファンブレード側からみた斜視図である。図２において、ファンブレード５は円筒形状の外周面を有するハブ部６とその外周面から遠心方向へ略放射状に延びる複数のブレード部７とから構成されている。また、モータ部はハブ部６の内側に設けられている。
【００１７】
また、ファンブレード５はモータ部によって回転駆動され、ブレード部７の回転方向の面（正圧面）の所定の領域における回転軸方向の表面形状は、そのブレード部７の上下方向の両側端部がブレード部７の中央部よりも回転方向側に位置する形状となっている。更に、ブレード部７の外周部において回転軸方向の上側端部に連続的に連なる上側円環板８が設けられている。
【００１８】
ファンブレード５が高速で回転すると、そのハブ部６の上面に対向するようにファンカバーの中央部に配設された吸気口４と、ファンフレーム２ａの底面に配設された吸気口４とから、空気が吸気される。そのとき、後述するファンブレード５の回転軸（図示せず）方向より吸気され、更にその吸気された空気が複数のブレード部７の回転運動によりファンケース２の内部でそのブレード部７の遠心方向へと風向きが変えられる。従って、吸気された空気の大部分はファンフレーム２ａやファンカバー２ｂの内壁にぶつかりながら、その内壁に沿ってファンブレード５の回転方向と同一の方向へそれらの空気が送られて排気口３から排気される。
【００１９】
次に、本発明の特徴点であるファンフレーム２ａについて詳細に説明する。
【００２０】
図３（ａ）は、実施例１におけるファンフレームの上面図、図３（ｂ）は、実施例１におけるファンフレームの断面図である。また、図４は図１の領域Ａにおける足部とファンフレームとの接続部分の拡大図である。
【００２１】
足部９ａ、９ｂ、９ｃは、吸気口４の端部であってモータ部とファンフレーム２ａとを接続する接続孔１１側内周端部１４と、接続孔１１と対向する吸気口４の外側端部１３とを接続する。ファンフレーム２ａはファンブレード５を支持するモータ部を支持している。ファンフレーム２ａに足部９ａ〜９ｃを延長させるような切り込み１０を設けることによって、足部９ａ〜９ｃの直径Ｗｄを吸気口４の外側端部１３の直径よりも大きくしている。ファンフレーム２ａは接続孔１１によってモータ部と接続しており、複数設けられた接続部１２によってファンカバー２ｂと接続する。
【００２２】
また、図３（ａ）に示すように足部９ａ〜９ｃは、足部９ａ〜９ｃの長手方向の延長線上に固定部１５が配置されないように設けることが好ましい。すなわち、モータ部の振動は足部９ａ〜９ｃを足部９ａ〜９ｃの長手方向に沿って伝わるため、その延長線上に固定部１５を設けると固定部１５からファンカバー２ｂに伝わりやすくなり、騒音が大きくなってしまう。従って、本実施例のように足部９ａ〜９ｃの長手方向の延長線上以外に固定部１５を配置することで、モータの振動による騒音が大きくなることを更に抑えることができる。
【００２３】
また、切り込み１０の形状は、図４のように足部９ａ〜９ｃの長手方向と平行であることで成型するための金型が単純となり製造が容易となるが、このように必ずしも平行である必要はない。すなわち、切り込み１０によって足部９ａ〜９ｃの長さを吸気口４の駆動部側内周端部１４と外周端部１３との間の距離よりも長くすることで、足部９ａ〜９ｃの剛性を低くし、足部９ａ〜９ｃの固有振動数を調節することできればよい。例えば、切り込み１０がファンフレーム２ａと接続する部分の近傍を八の字のように外側に向かって広がるように形成してもよい。このように構成することによって、足部９ａ〜９ｃの固定振動数に影響を与えることなく足部９ａ〜９ｃとファンフレーム２ａとの接続を丈夫にすることができる。従って、足部９ａ〜９ｃとファンフレーム２ａとの接続部における切り込み１０の角度αは略０〜６０度が好適であり、本実施例では幅ｄが１ｍｍ程度〜５ｍｍ程度である。切り込み１０の角度αが略０〜３０度（本実施例のおいては幅ｄが略１ｍｍ）と小さい場合には吸気口４の面積がほとんど変わらず静圧がほとんど変化しないので、実装密度の高い機器、流路の狭い機器であっても影響がないような高い静圧で吸気することができる。また、切り込み１０の角度αが略３０〜６０度（本実施例のおいては幅ｄが略５ｍｍ）と大きい場合には、キャビティノイズの発生を抑えることができる。キャビティノイズとは、細い溝の上を風が通ると溝の中で風が渦状となり、その結果騒音となるものである。
【００２４】
本実施例においては吸気口４の外側端部１３の直径は３５ｍｍであるが、吸気口４の直径はファンブレード５の大きさに依存するため３５ｍｍに限定されるものではない。例えば、ノートＰＣの電気機器の冷却装置としては吸気口４の外側端部１３の直径は３０ｍｍ〜４６ｍｍが一般的であるし、それ以外の大きさの冷却装置でもよい。なお、図３中のＷｄは足部９ａ〜９ｃがファンフレーム２ａと接続する足部９ａ〜９ｃの端部を結んだ円の直径を表し、Ｗｓは足部９ａ〜９ｃの幅、Ｗｔは足部９ａ〜９ｃの厚みを示す。
【００２５】
次に、足部９ａ〜９ｃの固有振動数とモータ部の振動周波数との関係について説明する。モータ部はロータとステータを備える。ロータにはファンブレード５のブレード部７と、内周には複数の磁極を設けたロータマグネットが設けられている。ステータは、インシュレータに巻き線が巻き回され、インシュレータに内挿されるようにインサート成型され、金属の電子鋼板が設けられている。このロータを回転させるためにステータをロータマグネットの磁極に応じてＯＮ／ＯＦＦすることによって、磁力の変動によるロータのスラスト方向（ロータの回転軸に平行な方向）の上下振動が発生する。
【００２６】
従って、モータの振動の周波数の基本周波数は、モータの回転数にロータマグネットの磁極をかけたもので表現される。この基本周波数の整数倍の周波数と足部９ａ〜９ｃの固有振動数とが近い値となると、モータの振動がファンフレーム２ａで共振、増幅され、振動による騒音が大きくなる。通常、基本周波数の帯域では共振、増幅は問題にならず、基本周波数の２〜３倍の周波数と足部９ａ〜９ｃの固有振動数とが近い値となると、共振、増幅が最も大きくなってしまう。従って、足部９ａ〜９ｃの固有振動数を基本周波数の２〜３倍の周波数から離れた値とすることが重要となる。
【００２７】
なお、一般的には、例えば２０００〜６０００ｒ／ｍｉｎでモータが回転すると、モータの振動の周波数の基本周波数は１３３〜４００Ｈｚとなる。前述したようにこの帯域ではモータの振動がファンフレーム２ａで共振、増幅され、振動による騒音が問題となることは少ない。この場合では足部９ａ〜９ｃの固有振動数を基本周波数の２〜３倍である５００〜１２００Ｈｚから遠ざけることが必要となる。
【００２８】
次に、足部９ａ〜９ｃの直径の大きさＷｄとその固有振動数との関係について説明する。図５は本実施例における足部の直径の大きさＷｄと足部の固有振動数との関係を示した図である。なお、図５中のグラフａは足部の幅が３ｍｍ、厚みが１．２ｍｍであり、本実施例では足部の材料が例えばＰＢＴといった樹脂の場合である。グラフｂは足部９ａ〜９ｃの幅が３ｍｍ、厚みが０．４ｍｍであり、実施例では足部９ａ〜９ｃの材料が例えばＳＥＣＣといった鉄材の場合である。
【００２９】
足部９ａ〜９ｃの長さが長くなると、足部９ａ〜９ｃの剛性は一般的に低くなり、固有振動数は低くなる。また足部９ａ〜９ｃの長さが短くなると、足部９ａ〜９ｃの剛性は一般的に高くなり、固有振動数は高くなる。これは、固有振動数が剛性（バネ定数）の平方根に比例するからである。すなわち、例えば、モータ部から足部９ａ〜９ｃに伝わる振動の波長は足部９ａ〜９ｃの長さによって決まり、足部９ａ〜９ｃが長いと波長も長くなるので、その結果、振動の伝達の速さは変化しないので固有振動数が低くなる。
【００３０】
従って、図５に示されるように、足部９ａ〜９ｃの直径Ｗｄが大きくなるほど足部９ａ〜９ｃの固有振動数は低くなっている。
【００３１】
以上のように足部９ａ〜９ｃの直径を切り込み１０を設けて長さを延長させることによって、モータ部の振動がファンフレーム２ａで共振、増幅され、振動による騒音となることを防ぐ。
【００３２】
また、足部９ａ〜９ｃの固有振動数はその直径Ｗｄの長さだけに依存するものではなく、幅Ｗｓ、厚みＷｔにも依存する。
【００３３】
すなわち、足部９ａ〜９ｃの幅Ｗｓは小さいほうが足部９ａ〜９ｃの固有振動数が小さくなる。これは、足部９ａ〜９ｃの幅Ｗｓが小さいほど、足部９ａ〜９ｃの剛性が小さくなるからである。また、足部９ａ〜９ｃの厚みＷｔは小さいほうが足部９ａ〜９ｃの固有振動数が小さくなる。これは、足部９ａ〜９ｃの厚みＷｔが小さいほど、足部９ａ〜９ｃの剛性が小さくなるからである。
【００３４】
以上のように、足部９ａ〜９ｂとファンフレーム２ａとの接続部に切り込み１０を入れることによって足部９ａ〜９ｃの直径Ｗｄの長さを吸気口４の外側端部１３の直径よりも長く構成し、剛性を低くして足部９ａ〜９ｃの固有振動数を下げることができる。このような構成とすることによって、足部９ａ〜９ｃの固有振動数がモータの振動の基本周波数の整数倍の値と近くなることを防ぎ、モータの振動がファンフレーム２ａで共振、増幅され、振動による騒音となることを防ぐことができる。
（実施例２）
本実施例における送風装置は、実施例１に示した送風装置の形状を一部変更したものである。従って、実施例１及び実施例２では、同一の符号は同一のものを示す。
【００３５】
図６は、実施例２における遠心ファン装置のファンフレーム側からみた斜視図であり、図７は、本実施２における遠心ファン装置１のファンカバー側からみた斜視図である。
【００３６】
２ｂはファンカバーである。ファンカバー２ｂはファンフレーム２ａとともにファンケース２を構成されている。ここで、ファンフレーム２ａは、樹脂成型やアルミニウム合金のダイカスト成型などにより底面と側面が一体的に形成される。ファンカバー２ｂは、アルミニウムやステンレス鋼などの金属材料の打ち抜き成型や樹脂成型によりプレート状に成型されており、その中央部に空気を吸気する略円形状の吸気口４が配設されている。そして、そのファンフレーム２ａとファンカバー２ｂとに挟まれて収容されるようにファンブレード５が配置される。また、固定部１５において、本実施例の遠心ファン装置１は搭載される電子機器に固定される。また、ファンケース２はファンブレード５が位置する部分の厚みよりも排気口３側の厚みを厚く形成し、排気口３を大きくしている。
【００３７】
本実施例において、吸気口４の外側端部１３の直径は４２ｍｍ、足部９ａ〜９ｃの直径Ｗｄは４６ｍｍ、厚みＷｔは１．０〜１．８ｍｍである。また、切り込み１０の幅は１ｍｍである。幅Ｗｓは、足部９ａ、９ｃにおいて４．２ｍｍ、足部９ｂにおいて６ｍｍである。厚みＷｔが１．０〜１．８ｍｍと幅を持つのは、吸気口４の接続孔１１側内周端部１４では厚みが必要であるため厚みＷｔが１．８ｍｍであり、外側端部１３では厚みＷｔが１．８ｍｍも必要なく、更に剛性を下げるためなるべく薄く形成している。このように、厚みＷｔを吸気口４の接続孔１１側内周端部１４側では厚く形成し、外側端部１３側では薄く形成することによって、強度を保ちつつも足部９ａ〜９ｃの剛性を低くすることで足部９ａ〜９ｃの固有振動数がモータの振動の基本周波数の整数倍の値と近くなることを防ぎ、モータの振動がファンフレーム２ａで共振、増幅され、振動による騒音となることを防ぐことができる。
【００３８】
また、幅Ｗｓが、足部９ａ、９ｃと、足部９ｂとで異なるのは、排気口３付近ではブレードパスノイズが生じるためである。すなわち、ファンケース２の中でも排気口３付近は、吸気口４から吸い込まれる空気と排気口３から排出される空気とで空気が集中する。その結果、空気の量が多くなり、空気の流れに乱流が生じやすくなる。従って、排気口３に近い足部９ｂを他の足部９ａ、９ｃよりも太くすることで吸気口４から吸い込まれる空気を減少させて調整し、騒音を抑えることができる。このように、ファンフレーム２ａの外周端部１３側に足部９ａ〜９ｃを延長させる切り込み１０を入れ、更に複数の足部９ａ〜９ｃのうち排気口３に近い足部９ｂを他の足部９ａ、９ｃよりも太くすることで、吸気口４を一定以上の大きさから大きくしなくても足部９ａ〜９ｃの剛性を低くして足部９ａ〜９ｃの固有振動数がモータの振動の基本周波数の整数倍の値と近くなることを防ぐことができる。その結果、モータの振動がファンフレーム２ａで共振、増幅され、振動による騒音となることを防ぐことができる。更に、吸気口４から吸い込まれる空気量を自由に調整することができるので、排気口３付近の空気を減少させて調整し、騒音を抑えることができる。
【００３９】
図８は、図６の遠心ファン装置の一部を変更した遠心ファン装置の上面図であり、足部９ａ〜９ｃが３つであるのに対して、固定部１５は２つであって足部９ａ〜９ｃの数よりも少ない。
【００４０】
また、足部９ａの延長線上に固定部１５が設けられている。一般的に送風装置を搭載する筐体は送風装置に比較して剛性が高く、それに応じて固定部１５の剛性も高くなる。その結果、足部９ａの共振点と固定部１５の共振点が大きくずれるため、筐体へ振動が伝わりにくくなり、騒音を抑えることができる。
【００４１】
図９は、図６の遠心ファン装置の一部を変更した遠心ファン装置の上面図であり、足部９ａ〜９ｃが３つであるのに対して、固定部１５は４つであって足部９ａ〜９ｃの数よりも多い。このように固定部１５を足部９ａ〜９ｃの数よりも多くすることで、送風装置に比較して剛性が高い筐体に送風装置をしっかりと固定することができる。従って、足部９ａ〜９ｃの共振点と固定部１５の共振点が大きくずれるため、筐体へ振動が伝わりにくくなり、騒音を抑えることができる。更に、筐体との接続する面積が大きいほど足部９ａ〜９ｃの共振点と固定部１５の共振点が大きくずれるため、筐体へ振動が伝わりにくくなり、騒音を抑えることができる。
【００４２】
また、切り込み１０の端部の形状を略円弧状とすることで、渦の発生を抑制し、流れをスムーズにすることができる。すなわち、切り込み１０の端部が角ばっていた場合は渦が発生しやすくなり、空気の流れを妨げ騒音となる。対して本実施例のように切り込み１０の端部の形状を略円弧状とすると、渦の発生を抑制し、流れをスムーズにすることができるので騒音を抑えることができる。
【００４３】
また、本実施例においては切り込み１０の長さは足部９ａ〜９ｃのすべてにおいて４ｍｍと同一である。このように複数の足部９ａ〜９ｃのすべてにおいて切り込み１０の長さを同一とすることで、足部９ａ〜９ｃのすべてを同程度だけ剛性を低くすることができる。その結果、足部９ａ〜９ｃの固有振動数を同程度下げることができるので、バランスがよい。このような構成とすることによって、足部９ａ〜９ｃすべての固有振動数がモータの振動の基本周波数の整数倍の値と近くなることを防ぎ、モータの振動がファンフレーム２ａで共振、増幅され、振動による騒音となることを防ぐことができる。
【００４４】
また、本実施例においては切り込み１０の幅は足部９ａ〜９ｃのすべてにおいて１ｍｍと同一である。このように複数の足部９ａ〜９ｃのすべてにおいて切り込み１０の幅を同一とすることで、足部９ａ〜９ｃの剛性、固有振動数をバランスよく調整することができる。このような構成とすることによって、足部９ａ〜９ｃすべての固有振動数がモータの振動の基本周波数の整数倍の値と近くなることを良好に防ぎ、モータの振動がファンフレーム２ａで共振、増幅され、振動による騒音となることを防ぐことができる。
【００４５】
また、本実施例では幅Ｗｓが、足部９ａ、９ｃと、足部９ｂとで異なるため、幅Ｗｓが太い足部９ｂの切り込み１０の長さを他の足部９ａ、９ｃと異ならせてもよい。このような構成とすることで、足部９ａ〜９ｃのすべてをより精密に同程度だけ剛性を低くすることができ、足部９ａ〜９ｃの固有振動数を同程度下げることができるので、バランスが更によくなる。そして、足部９ａ〜９ｃすべての固有振動数がモータの振動の基本周波数の整数倍の値と近くなることを防ぎ、モータの振動がファンフレーム２ａで共振、増幅され、振動による騒音となることを防ぐことができる。
【００４６】
また、足部９ａ〜９ｃすべてが同じ幅Ｗｓである場合は、足部９ａ〜９ｃのすべてを同程度だけ剛性を低くすることが容易となり、足部９ａ〜９ｃの固有振動数を同程度下げることができるので、バランスを調整しやすい。その結果、足部９ａ〜９ｃすべての固有振動数がモータの振動の基本周波数の整数倍の値と近くなることを防ぎ、モータの振動がファンフレーム２ａで共振、増幅され、振動による騒音となることを防ぐことができる。
【００４７】
図１０は、図６の遠心ファン装置と切り込みのない遠心ファン装置におけるモータの回転数ごとの騒音レベルを示す図であり、図１１は図６の遠心ファン装置と切り込みのない遠心ファン装置における騒音のＦＦＴ解析を示す図である。なお、図１１（ａ）が切り込みのない遠心ファン装置における騒音のＦＦＴ解析を示し、図１１（ｂ）が図６の遠心ファン装置における騒音のＦＦＴ解析を示す。
【００４８】
図１０、図１１から明らかな通り、切り込み１０を形成するのと形成しないのとでは、切り込み１０を形成したほうが騒音レベルが低下している。特に、図１０においては回転数が３０００〜４０００ｒ／ｍｉｎのときに特に低下している。なお、切り込み１０は、吸気口４の外側端部１３の直径が４２ｍｍ、足部９ａ〜９ｃの直径Ｗｄが４６ｍｍ、厚みＷｔが１．０〜１．８ｍｍ、切り込み１０の幅が１ｍｍ、幅Ｗｓが足部９ａ、９ｃにおいて４．２ｍｍ、足部９ｂにおいて６ｍｍとなるように構成している。また、図１１（ａ）において突出した値をもつ領域Ａ１、Ｂ１、Ｃ１が、図１１（ｂ）のＡ２、Ｂ２、Ｃ２ではレベルが下がっていることが分かる。これは、足部９ａ〜９ｂとファンフレーム２ａとの接続部に切り込み１０を入れることによって足部９ａ〜９ｃの直径Ｗｄの長さを吸気口４の外側端部１３の直径よりも長く構成し、剛性を低くして足部９ａ〜９ｃの固有振動数を下げたことによる。このような構成とすることによって、足部９ａ〜９ｃの固有振動数がモータの振動の基本周波数の整数倍の値と近くなることを防ぎ、モータの振動がファンフレーム２ａで共振、増幅され、振動による騒音となることを防ぐことができる。特に、吸気口４の外側端部１３の直径が４２ｍｍ、足部９ａ〜９ｃの直径Ｗｄが４６ｍｍ、厚みＷｔが１．０〜１．８ｍｍ、切り込み１０の幅が１ｍｍ、幅Ｗｓが足部９ａ、９ｃにおいて４．２ｍｍ、足部９ｂにおいて６ｍｍとなるように構成することで、モータの振動がファンフレーム２ａで共振、増幅され、振動による騒音となることを良好に防ぐことができる。
【産業上の利用可能性】
【００４９】
本発明の送風装置によれば、足部の直径を大きくすることで剛性を低くし、足部の固有振動数をモータの振動の周波数よりも低くして騒音を抑えることができるので、例えばノートＰＣなどの電子機器を冷却する送風装置として有用である。
【符号の説明】
【００５０】
１    遠心ファン装置
２    ファンケース
２ａ    ファンフレーム
２ｂ    ファンカバー
３    排気口
４    吸気口
５    ファンブレード
６    ハブ部
７    ブレード部
８    円環板
９ａ、９ｂ、９ｃ    足部
１０    切り込み
【図１】
2012031829.tif 000003
【図２】
2012031829.tif 000004
【図３】
2012031829.tif 000005
【図４】
2012031829.tif 000006
【図５】
2012031829.tif 000007
【図６】
2012031829.tif 000008
【図７】
2012031829.tif 000009
【図８】
2012031829.tif 000010
【図９】
2012031829.tif 000011
【図１０】
2012031829.tif 000012
【図１１】
2012031829.tif 000013